(57)【要約】【課題】段ボールシートを使用し、部品数を最小限にし容易に形成でき、梱包箱の内面との間のクリアランスを保つ梱包用緩衝材を提供する。【解決手段】底部緩衝材３は一枚の段ボールシート３ａから成り、この段ボールシート３ａの左右に形成してある底板左５と底板右６を裏側に折り返し、被梱包製品１の前側左右の角に当接するように設けた製品受圧板左前７と製品受圧板右前８を略直角に折り曲げ、その先端に形成された三角部分左９および三角部分右１０を罫線１１および罫線１２に沿って山折りし梱包箱２の内面に突き当て、さらに左右および後側に設けた製品受圧板左１３と製品受圧板右１４および製品受圧板後１５も裏側に折り返し梱包箱２の内面に突き当てるようになし、これにより、製品受圧板左前７、製品受圧板右前８を略直角に保ち、製品受圧板左１３、右１４、後１５を斜めに形成するよう構成した梱包用緩衝材。【選択図】　図１
2004099162.tif 000002
【特許請求の範囲】
【請求項１】
被梱包製品（１）の下面および四側面と梱包箱（２）の内面との間のクリアランスを保つ底部緩衝材（３）と、被梱包製品（１）の上面を覆う上緩衝材（４）とよりなる梱包用緩衝材において、前記底部緩衝材（３）は一枚の段ボールシート（３ａ）から成り、この段ボールシート（３ａ）の左右に形成してある底板左（５）と底板右（６）を裏側に折り返し、被梱包製品（１）の前側左右の角に当接するように設けた製品受圧板左前（７）と製品受圧板右前（８）を略直角に上方に折り曲げ、その先端に形成された三角部分左（９）および三角部分右（１０）を罫線（１１）および罫線（１２）に沿って山折りし梱包箱（２）の内面に突き当てるようになし、さらに左右および後側に設けた製品受圧板左（１３）と製品受圧板右（１４）および製品受圧板後（１５）も略中心線に沿って裏側に折り返し梱包箱（２）の内面に突き当てるようになし、これにより、製品受圧板左前（７）、製品受圧板右前（８）を略直角に保ち、製品受圧板左（１３）、製品受圧板右（１４）、製品受圧板後（１５）を斜めに形成するよう構成したことを特徴とする梱包用緩衝材。
【請求項２】
底部緩衝材（３）は製品受圧板左（１３）、製品受圧板右（１４）、製品受圧板後（１５）の左切り込み（１６）、右切り込み（１７）、後切り込み（１８）の各切断面を細かい波状にすることにより、折り返し成形の際仮止めできるような構成としたことを特徴とする請求項１記載の梱包用緩衝材。
【請求項３】
底部緩衝材（３）は被梱包製品（１）の底の凹凸に合わせ抜き穴（１９）を底板（２０）に形成したことを特徴とする請求項１記載の梱包用緩衝材。
【発明の詳細な説明】
【０００１】
【発明の属する技術分野】
本発明は、ジャー式炊飯器などのような商品を梱包する時に使用する梱包用緩衝材に関するものである。
【０００２】
【従来の技術】
従来のこの種の緩衝材としては、図３に示すように段ボール製の梱包箱２の中に発泡スチロール樹脂からなる成形緩衝材２１によって構成されるか、図４に示すように複数の段ボール緩衝材２２によって構成されるものがある。あるいは、また、例えば特開２００１−２１３４８１号公報に示されるように、製品の底部と側面部を覆うような複数の緩衝材を備えた例もある。
【０００３】
【発明が解決しようとする課題】
従来の梱包用緩衝材において、発泡スチロール樹脂からなる成形緩衝材は、緩衝性能には優れているが、廃棄やリサイクルがしにくく、また、特に発泡スチロール樹脂は近年のごみ公害問題の原因となる物質であり、このような理由により梱包用緩衝材として発泡スチロールを使用せず、段ボールシートを使用したものに替わりつつあるものである。また、前記した従来の梱包用緩衝材においては、段ボール緩衝材は部品点数が多数あるので組み立て性を含めコスト的な問題があった。
【０００４】
本発明は、前記課題を解決するものであり、リサイクルしやすい段ボールシートを使用し、部品数を最小限にし容易に形成でき、下面および四側面と梱包箱の内面との間のクリアランスを保つ梱包用緩衝材を提供することを目的とするものである。
【０００５】
【課題を解決するための手段】
上記課題を解決するために本発明は、底部緩衝材を一枚の段ボールシートで形成し、この段ボールシートの左右に形成してある底板左と底板右を裏側に折り返し底面を厚くし、また被梱包製品の前側左右の角に当接するように設けた製品受圧板左前と製品受圧板右前を略直角に折り曲げ、その先端に形成された三角部分を罫線に沿って山折りし梱包箱の内面に突き当てるようになし、さらに左右および後側に設けた製品受圧板左と右および後も裏側に折り返し、この折り返し部を梱包箱の内面に突き当てるようになし、これにより、製品受圧板左前と製品受圧板右前を略直角に保ち、製品受圧板左、右、後を斜めに形成するよう構成した梱包用緩衝材としたものである。
【０００６】
また、底部緩衝材は製品受圧板左、右、後の左切り込み、右切り込み、後切り込みの各切断面を細かい波状にすることにより、折り返し成形の際仮止めできるような構成としたものである。
【０００７】
さらに、底部緩衝材は被梱包製品の底の凹凸に合わせ、抜き穴を底板に形成したものである。
【０００８】
【発明の実施の形態】
本発明は、被梱包製品の下面および四側面と梱包箱の内面との間のクリアランスを保つ底部緩衝材と、被梱包製品の上面を覆う上緩衝材とよりなる梱包用緩衝材において、前記底部緩衝材は一枚の段ボールシートから成り、この段ボールシートの左右に形成してある底板左と底板右を裏側に折り返し、被梱包製品の前側左右の角に当接するように設けた製品受圧板左前と製品受圧板右前を略直角に上方に折り曲げ、その先端に形成された三角部分左および三角部分右を罫線に沿って山折りし梱包箱の内面に突き当てるようになし、さらに左右および後側に設けた製品受圧板左と製品受圧板右および製品受圧板後も略中心線に沿って裏側に折り返し梱包箱の内面に突き当てるようになし、これにより、製品受圧板左前、製品受圧板右前を略直角に保ち、製品受圧板左、製品受圧板右、製品受圧板後を斜めに形成するよう構成した梱包用緩衝材としたものである。
【０００９】
また、底部緩衝材は製品受圧板左、製品受圧板右、製品受圧板後の左切り込み、右切り込み、後切り込みの各切断面を細かい波状にすることにより、折り返し成形の際仮止めできるような構成としたものである。
【００１０】
また、底部緩衝材は被梱包製品の底の凹凸に合わせ、抜き穴を底板に形成したものである。
【００１１】
このような構成としたことにより、リサイクルしやすい段ボールシートを使用し、部品数を最小限にし、容易に成形でき、また下面および四側面と梱包箱の内面との間のクリアランスを保つことができる緩衝材を提供できるものである。
【００１２】
【実施例】
以下本発明の一実施例を図面に基づいて詳細に説明する。図１は本発明の一実施例を示すもので、梱包用緩衝材の底部緩衝材の展開図である。図２は同じく組み立て状態を示す斜視図である。
【００１３】
図において、１は被梱包製品であり、本実施例ではジャー式炊飯器である。２は梱包箱であり、この梱包箱２に被梱包製品１を底部緩衝材３と上緩衝材４を介して梱包するものである。
【００１４】
次にこの底部緩衝材３を詳細に説明する。底部緩衝材３は一枚の段ボールシート３ａにより形成されているものであり、通常は図１に示す展開図の状態で運搬および保管をするものである。
【００１５】
段ボールシート３ａには底板２０の左右に底板左５と底板右６を有し、これらの底板左５と底板右６は底板２０の裏側に折り返し、これにより底面部が厚くなるようにしてある。また、段ボールシート３ａには、被梱包製品１の前側左右の角部、側面部（左右）、後部に突き当て接触して保護する製品受圧板左前７、製品受圧板右前８、製品受圧板左１３、製品受圧板右１４、製品受圧板後１５を各々形成している。
【００１６】
製品受圧板左前７および製品受圧板右前８を略直角に立ち上げるように折り曲げ、その先端に形成された三角部分左９、三角部分右１０を罫線１１、罫線１２に沿って山折りし、この三角部分左９、右１０を梱包箱２の内面に突き当てるように形成する。また、左右中程に設けた製品受圧板左１３、製品受圧板右１４および後部に設けた製品受圧板後１５も中心線より山折りし裏側に折り返し、この二重にした状態で斜めに立ち起こし、この斜めに立ち起こした折り返し部を梱包箱２の内面に突き当てるようにする。これにより、製品受圧板左前７、製品受圧板右前８を略直角に保ち、製品受圧板左１３、製品受圧板右１４、製品受圧板後１５を斜めに形成させるものである。
【００１７】
また、製品受圧板左１３、右１４、後１５の各切断線である、左切り込み１６、右切り込み１７、後切り込み１８の各切断面は細かい波状に形成してある。このように波状にすることにより、各製品受圧板１３、１４、１５を折り返し成形の際仮止めできるような構成となるものである。これにより、底部緩衝材３は事前に組み立てることができ、梱包が容易にできるようになるものである。
【００１８】
また、底板２０には、被梱包製品１の底部の凹凸に合わせ抜き穴１９を形成してある（本実施例では大小合わせて６個の抜き穴が設けられている）。抜き穴１９を設けたことで、梱包時にはこの抜き穴１９に被梱包製品１の底部を嵌め込むことにより、被梱包製品１の収まりを強制し、各製品受圧板７、８、１３、１４、１５とともに四側面と梱包箱２の内面との間のクリアランスを保つことができるものである。
【００１９】
以上の構成における作用について図２に基づいて説明する。
【００２０】
被梱包製品１を梱包する組み立て手順は、先ず、上部蓋を開いた梱包箱２を床に置き、その中に底部緩衝材３を入れ、次に被梱包製品１の底の凹凸に合わせ抜き穴１９を形成した上に被梱包製品１を入れ上緩衝材４を被梱包製品１の上に載せ、最後に梱包箱２の上部蓋を閉じる。その後梱包箱２の周囲にバンド、またはテープを貼るなどの処理を行う。
【００２１】
【発明の効果】
以上、本発明はこのような構成としたことにより、リサイクルしやすい段ボールシートを使用し、部品数を最小限にし、容易に成形でき、かつ外形形状が丸みをおびた炊飯器などよりなる被梱包製品を梱包する際、下面および四側面と梱包箱の内面との間のクリアランスを保つことができるという効果を奏する。
【００２２】
また、製品受圧板左、右、後の各切り込みの切断面を細かい波状にすることにより、組み立て形成の際、仮止めできるように構成したことで、事前に組み立てることができ、容易に梱包することができるという効果を奏する。
【００２３】
さらに、底板に抜き穴を形成したことにより、被梱包製品の収まりを強制し、製品受圧板とともに四側面と梱包箱の内面との間のクリアランスを保つことができるという効果を奏するものである。
【図面の簡単な説明】
【図１】本発明の一実施例を示す梱包用緩衝材の底部緩衝材の展開図である。
【図２】同じく組み立て状態を示す斜視図である。
【図３】従来例の梱包組み立て状態を示す斜視図である。
【図４】別の従来例の梱包組み立て状態を示す斜視図である。
【符号の説明】
１：被梱包製品、２：梱包箱、３：底部緩衝材、４：上緩衝材、５：底板左、６：底板右、７：製品受圧板左前、８：製品受圧板右前、９：三角部分左、１０：三角部分右、１１：罫線、１２：罫線、１３：製品受圧板左、１４：製品受圧板右、１５：製品受圧板後、１６：左切り込み、１７：右切り込み、１８：後切り込み、１９：抜き穴、２０：底板。
【図１】
2004099162.tif 000003
【図２】
2004099162.tif 000004
【図３】
2004099162.tif 000005
【図４】
2004099162.tif 000006